(57)【要約】【課題】ＧＰＳの電波が届かない場所でもスケジュール管理を可能にする比較的簡単な手段を提供する。【解決手段】携帯端末１００のスケジュール格納部１０２に、位置情報提供端末２００と接する予定時刻及びその位置情報を格納しておき、最新位置情報格納部１０８に、非接触ＩＣカードリーダ部１０５を介して位置情報提供端末２００から取得した最新の位置情報を更新して格納する。スケジュール格納部１０２に格納されたスケジュールの予定時刻となったとき、最新位置情報格納部１０８に格納されている位置情報と前記予定時刻に対応する位置情報とを比較判定して、一致していないとき、現在のスケジュールと合致しない旨を、表示部１０６、あるいは発音部１０７を介して通知する。【選択図】図１
2009193166.tif 000002
【特許請求の範囲】
【請求項１】
非接触ＩＣカードライタ部と、該非接触ＩＣカードライタ部が設置されている位置を示す位置情報が格納された位置情報格納部と、非接触ＩＣカードリーダ部との間の通信の際に、前記位置情報格納部に格納されている位置情報を前記非接触ＩＣカードライタ部を介して前記非接触ＩＣカードリーダ部へ送信する位置情報送信手段と、を有する位置情報提供端末と、
非接触ＩＣカードリーダ部と、前記位置情報提供端末と接する予定時刻と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時刻となったとき、前記最新位置情報格納部に格納されている位置情報と前記予定時刻に対応する位置情報とを比較判定し、一致していないとき現在のスケジュールと合致しない旨を通知するスケジュール監視手段と、を有する携帯端末と、
によって構成されていることを特徴とする非接触型ＩＣカードを使用したスケジュール管理システム。
【請求項２】
前記最新位置情報格納部には、前記最新の位置情報とともにその取得時刻が格納され、前記スケジュール監視手段は、前記最新位置情報格納部に格納されている位置情報と前記予定時刻に対応する位置情報が一致しているとき、前記取得時刻と前記予定時刻とを比較し、その時間差が所定時間を超えているとき、前記スケジュールが前倒しされている旨を通知する機能を有していることを特徴とする請求項１に記載の非接触型ＩＣカードを使用したスケジュール管理システム。
【請求項３】
非接触ＩＣカードライタ部と、該非接触ＩＣカードライタ部が設置されている位置を示す位置情報が格納された位置情報格納部と、非接触ＩＣカードリーダ部との間の通信の際に、前記位置情報格納部に格納されている位置情報を前記非接触ＩＣカードライタ部を介して前記非接触ＩＣカードリーダ部へ送信する位置情報送信手段と、を有する位置情報提供端末と、
非接触ＩＣカードリーダ部と、前記位置情報提供端末と接する予定時間帯と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時間帯となったとき、所定周期で前記最新位置情報格納部に格納されている位置情報と前記予定時刻に対応する位置情報とを比較判定し、一致していないとき現在のスケジュールと合致しない旨を通知するスケジュール監視手段と、を有する携帯端末と、
によって構成されていることを特徴とする非接触型ＩＣカードを使用したスケジュール管理システム。
【請求項４】
請求項１に記載の非接触型ＩＣカードを使用したスケジュール管理システムに用いられる携帯端末であって、
非接触ＩＣカードリーダ部と、前記位置情報提供端末と接する予定時刻と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時刻となったとき、前記最新位置情報格納部に格納されている位置情報と前記予定時刻に対応する位置情報とを比較判定し、一致していないとき現在のスケジュールと合致しない旨を通知するスケジュール監視手段と、を有していることを特徴とする携帯端末。
【請求項５】
前記最新位置情報格納部には、前記最新の位置情報とともにその取得時刻が格納され、前記スケジュール監視手段は、前記最新位置情報格納部に格納されている位置情報と前記予定時刻に対応する位置情報が一致しているとき、前記取得時刻と前記予定時刻とを比較し、その時間差が所定時間以上のとき、前記スケジュールが前倒しされている旨を通知する機能を有していることを特徴とする請求項４に記載の携帯端末。
【請求項６】
請求項３に記載の非接触型ＩＣカードを使用したスケジュール管理システムに用いられる携帯端末であって、
非接触ＩＣカードリーダ部と、前記位置情報提供端末と接する予定時間帯と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時間帯となったとき、所定周期で前記最新位置情報格納部に格納されている位置情報と前記予定時刻に対応する位置情報とを比較判定し、一致していないとき現在のスケジュールと合致しない旨を通知するスケジュール監視手段と、を有していることを特徴とする携帯端末。
【請求項７】
携帯端末が備えているコンピュータに、予め指定された位置情報提供端末と接する予定時刻と該位置情報提供端末から非接触ＩＣカードライタ部を介して提供される前記位置情報とを対応させたスケジュールを、スケジュール格納部へ格納する手段と、非接触ＩＣカードリーダ部を介して前記位置情報提供端末から取得した最新の位置情報を最新位置情報格納部へ更新して格納する手段と、前記スケジュール格納部に格納されたスケジュールの予定時刻となったとき、前記最新位置情報格納部に格納されている位置情報と前記予定時刻に対応する位置情報とを比較判定して、一致していないとき、現在のスケジュールと合致しない旨を通知するスケジュール監視手段として機能させるためのプログラム。
【請求項８】
前記最新位置情報格納部に前記最新の位置情報とともにその取得時刻を格納する手段と、前記比較判定が一致しているとき、前記予定時刻と前記最新位置情報の取得時刻とを比較し、その時間差が所定値よりも大きいとき、スケジュールよりも早まっている旨を通知するスケジュール監視手段として機能させるための請求項７に記載のプログラム。
【請求項９】
携帯端末が備えているコンピュータに、予め指定された位置情報提供端末と接する予定時間帯と該位置情報提供端末から非接触ＩＣカードライタ部を介して提供される前記位置情報とを対応させたスケジュールを、スケジュール格納部へ格納する手段と、非接触ＩＣカードリーダ部を介して前記位置情報提供端末から取得した最新の位置情報を最新位置情報格納部へ格納する手段と、前記スケジュール格納部に格納されたスケジュールの予定時間帯となったとき、所定周期で前記最新位置情報格納部に格納されている位置情報と前記予定時間帯に対応する位置情報とを比較判定し、一致していないとき、現在のスケジュールと合致しない旨を通知するスケジュール監視手段として機能させるためのプログラム。
【発明の詳細な説明】
【技術分野】
【０００１】
本発明は、自己の行動スケジュールを携帯端末により管理する技術に関する。
【背景技術】
【０００２】
携帯端末を保持して行動している被管理者を管理するシステムが特許文献１に記載されている。図８、および図９は、特許文献１に記載のシステムの全体構成を示す模式図、および被管理者用携帯電話機１００の主要な構成を示すブロック図である。
【０００３】
このシステムは、被管理者用携帯電話機１００と、管理者用携帯電話機２００と、ＧＰＳ（Global Positioning System）衛星３００と、基地局４００を備える無線通信網（全体図示略）と、を備えて構成されている。
【０００４】
被管理者用携帯電話機１００において、無線部１０は、アンテナ（図示略）を介して基地局４００との間で無線通信を行う機能を有する。位置情報取得部２０は、被管理者用携帯電話機１００の現在位置情報を生成し、該生成した現在位置情報を制御部４０に送信する。制御部４０はスケジュール管理を行うスケジュール管理手段としての機能を有する。また、制御部４０は位置情報取得部２０により取得された現在位置情報が、当該制御部４０により管理しているスケジュール（の場所の情報）と合致するか否かを判定する判定手段としての機能を有している。
【０００５】
制御部４０は、時計部３０から通知される現在時刻情報を常時監視することにより、管理している何れかのスケジュールの開始時間が到来したか否かを判定し、到来したと判定した場合には、位置情報取得部２０に対して指令を送信し、現在位置情報を取得させる。指令を受けた位置情報取得部２０は、ＧＰＳ衛星３００からの信号電波に基づいて現在位置情報を生成し、該生成した現在位置情報を制御部４０に送信する。制御部４０は、位置情報取得部２０より受信した現在位置情報と、開始時間の到来したスケジュールの場所と、が合致するか否かを判定し、合致していないときには、その旨を、予め設定された通知先に対して無線通信により送信する。
【０００６】
図１０は、特許文献２に記載の、別の位置情報取得システムの全体構成を示す模式図である。
【０００７】
この位置情報取得システムでは、位置情報サーバ１０２０は街中の各所（店舗や公共施設など）に置かれており、位置情報を定期的に発信している。携帯端末１０１０は位置情報サーバ１０２０から発信された位置情報および名称を受信し、該位置情報および名称を内部の記憶部に行動履歴記録として記憶する。そのため、携帯端末１０１０及び位置情報サーバ１０２０は狭い範囲内での無線通信を行う狭帯域無線ネットワーク１０３０のインタフェースを持ち、携帯端末１０１０は位置情報サーバ１０２０と無線通信を行って位置情報を取得する。
【０００８】
一方、特許文献３には、ユーザが携帯端末をマナーモード等の所定のモードに自動的切り替える時間と場所を予め設定しておき、携帯端末に備えられたタイマーとＧＰＳ受信機または非接触ＩＣを用いて、現在の時刻および携帯端末の位置情報を取得し、現在の時刻および携帯端末の位置が、前記設定された時間帯であって前記設定された場所に位置していることが判定されたとき、携帯端末に対して自動的に前記所定のモードを設定する技術が記載されている。
【０００９】
【特許文献１】特開２００６−１７４０１３号公報
【特許文献２】特開２００５−１７５６５６号公報
【特許文献３】特開２００６−０５０２６２号公報
【発明の開示】
【発明が解決しようとする課題】
【００１０】
特許文献１に記載の被管理者位置管理システムでは、位置情報取得手段にＧＰＳを使用しているため、被管理者がＧＰＳの電波が届かない場所に移動した場合には位置情報を取得できない状況が生じる。また、特許文献２に記載の位置情報取得システムでは、位置情報取得手段に近距離無線通信技術を用いているため、新たに位置情報サーバを設置する必要がある。
【００１１】
このように、従来のスケジュール管理システムにおいては、位置情報を取得する際にＧＰＳ信号を使用した場合には、ＧＰＳの電波が届かない場所では位置情報を取得できない問題があり、また、位置情報を取得する際に近距離無線技術を使用するシステムでは新たに位置情報サーバを設置する必要がある問題があった。
【００１２】
また特許文献３に記載の発明では、携帯端末に備えられたタイマーとＧＰＳ受信機または非接触ＩＣを用いて、マナーモード等の所定のモードへの自動的切り替えを行っているので、ＧＰＳの電波が届かない場所でもモードの自動的切り替えが可能であるが、特許文献３に記載の発明は、位置情報をマナーモード等の所定のモードへの自動的切り替えのための手段として用いる技術に留まり、スケジュール管理を行うものではない。
【００１３】
本発明の目的は、上記課題に鑑み、比較的簡単な手段によってＧＰＳの電波が届かない場所でもスケジュール管理を行うことを可能としたスケジュール管理システムを提供することにある。
【課題を解決するための手段】
【００１４】
本発明の非接触型ＩＣカードを使用したスケジュール管理システムは、非接触ＩＣカードライタ部と、該非接触ＩＣカードライタ部が設置されている位置を示す位置情報が格納された位置情報格納部と、非接触ＩＣカードリーダ部との間の通信の際に、前記位置情報格納部に格納されている位置情報を前記非接触ＩＣカードライタ部を介して前記非接触ＩＣカードリーダ部へ送信する位置情報送信手段と、を有する位置情報提供端末と、非接触ＩＣカードリーダ部と、前記位置情報提供端末と接する予定時刻と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時刻となったとき、前記最新位置情報格納部に格納されている位置情報と前記予定時刻に対応する位置情報とを比較判定し、一致していないとき現在のスケジュールと合致しない旨を通知するスケジュール監視手段と、を有する携帯端末と、によって構成されていることを特徴とする。
【００１５】
また、本発明の非接触型ＩＣカードを使用したスケジュール管理システムは、非接触ＩＣカードライタ部と、該非接触ＩＣカードライタ部が設置されている位置を示す位置情報が格納された位置情報格納部と、非接触ＩＣカードリーダ部との間の通信の際に、前記位置情報格納部に格納されている位置情報を前記非接触ＩＣカードライタ部を介して前記非接触ＩＣカードリーダ部へ送信する位置情報送信手段と、を有する位置情報提供端末と、非接触ＩＣカードリーダ部と、前記位置情報提供端末と接する予定時間帯と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時間帯となったとき、所定周期で前記最新位置情報格納部に格納されている位置情報と前記予定時刻に対応する位置情報とを比較判定し、一致していないとき現在のスケジュールと合致しない旨を通知するスケジュール監視手段と、を有する携帯端末と、によって構成されていることを特徴とする。
【００１６】
本発明の非接触型ＩＣカードを使用したスケジュール管理システムに用いられる携帯端末は、非接触ＩＣカードリーダ部と、前記位置情報提供端末と接する予定時刻と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時刻となったとき、前記最新位置情報格納部に格納されている位置情報と前記予定時刻に対応する位置情報とを比較判定し、一致していないとき現在のスケジュールと合致しない旨を通知するスケジュール監視手段と、を有していることを特徴とする。
【００１７】
また本発明の非接触型ＩＣカードを使用したスケジュール管理システムに用いられる携帯端末は、非接触ＩＣカードリーダ部と、前記位置情報提供端末と接する予定時間帯と該位置情報提供端末により提供される前記位置情報とを対応させたスケジュールを格納するスケジュール格納部と、前記位置情報提供端末から受信した最新の前記位置情報を格納する最新位置情報格納部と、前記非接触ＩＣカードリーダ部を介して取得した前記位置情報により前記最新位置情報格納部を更新する位置情報更新手段と、前記スケジュール格納部に格納されたスケジュールの予定時間帯となったとき、所定周期で前記最新位置情報格納部に格納されている位置情報と前記予定時刻に対応する位置情報とを比較判定し、一致していないとき現在のスケジュールと合致しない旨を通知するスケジュール監視手段と、を有していることを特徴とする。
【００１８】
本発明のプログラムは、携帯端末が備えているコンピュータに、予め指定された位置情報提供端末と接する予定時刻と該位置情報提供端末から非接触ＩＣカードライタ部を介して提供される前記位置情報とを対応させたスケジュールを、スケジュール格納部へ格納する手段と、非接触ＩＣカードリーダ部を介して前記位置情報提供端末から取得した最新の位置情報を最新位置情報格納部へ更新して格納する手段と、前記スケジュール格納部に格納されたスケジュールの予定時刻となったとき、前記最新位置情報格納部に格納されている位置情報と前記予定時刻に対応する位置情報とを比較判定して、一致していないとき、現在のスケジュールと合致しない旨を通知するスケジュール監視手段として機能させることを特徴とする。
【００１９】
また本発明のプログラムは、携帯端末が備えているコンピュータに、予め指定された位置情報提供端末と接する予定時間帯と該位置情報提供端末から非接触ＩＣカードライタ部を介して提供される前記位置情報とを対応させたスケジュールを、スケジュール格納部へ格納する手段と、非接触ＩＣカードリーダ部を介して前記位置情報提供端末から取得した最新の位置情報を最新位置情報格納部へ格納する手段と、前記スケジュール格納部に格納されたスケジュールの予定時間帯となったとき、所定周期で前記最新位置情報格納部に格納されている位置情報と前記予定時間帯に対応する位置情報とを比較判定し、一致していないとき、現在のスケジュールと合致しない旨を通知するスケジュール監視手段として機能させることを特徴とする。
【発明の効果】
【００２０】
本発明のスケジュール管理システムは、位置情報を取得する際に非接触型ＩＣカード技術を用いているので、ＧＰＳ信号が届かない場所でも位置情報を取得することができ、かつ該取得した位置情報を有効利用してスケジュール管理を行うことができる。
【００２１】
また、スケジュール作成の際には、通常、乗車駅、降車駅、会社等の位置がポイントとなるケースが多く、一方、非接触型ＩＣカードリードライト端末は駅の改札あるいは会社等、既に多くの場所に設置されているので、新たに設備を設置する必要がなく、比較的簡単な、且つ効率の良いスケジュール管理システムを構築することができる。
【発明を実施するための最良の形態】
【００２２】
図１は、本発明の第１実施形態を示すスケジュール管理システムの概略ブロック図である。
【００２３】
図において、位置情報提供端末２００は街中の各所（例えば駅の改札など）に置かれ、携帯端末１００を位置情報提供端末２００に近づけると、携帯端末１００は、非接触ＩＣカード通信技術により位置情報提供端末２００から位置情報を取得する。
【００２４】
携帯端末１００は、スケジュールを保存するスケジュール格納部１０２及び位置情報提供端末２００から位置情報を受信する非接触ＩＣカードリーダ部１０５を備える。また、携帯端末１００は、各種制御を行うマイクロコンピュータ１０１と、時刻情報を生成する時計部１０３と、マイクロコンピュータ１０１に各種命令を入力する操作部１０４と、各種制御状況やスケジュールを表示する表示部１０６と、各種音を再生する発音部１０７、位置情報提供端末２００から取得した最新の位置情報を取得時刻とともに保存する最新位置情報格納部１０８により構成される。
【００２５】
スケジュール格納部１０２は、例えば、半導体メモリやハードディスクなどから構成されてデータの記憶手段としての機能を持ち、スケジュール情報（時間、場所など）を記憶する。このスケジュール格納部１０２はマイクロコンピュータ１０１と接続されており、マイクロコンピュータ１０１の処理に応じてデータの入出力がなされる。
【００２６】
非接触ＩＣカードリーダ部１０５は、非接触ＩＣカード技術を用いて位置情報提供端末２００との間で非接触ＩＣカードによる通信を行うことにより位置情報を受信する機能を有する。この非接触ＩＣカードリーダ部１０５もマイクロコンピュータ１０１と接続されており、マイクロコンピュータ１０１の処理に応じてデータの入出力がなされる。
【００２７】
マイクロコンピュータ１０１には、前述のスケジュール格納部１０２と時計部１０３と操作部１０４と前述の非接触ＩＣカードリーダ部１０５と表示部１０６と発音部１０７とが接続されており、前述した各種データの入出力制御の他に、時計部１０３からの時刻データ取得制御や、操作部１０４からの入力情報による制御や、発音部１０７の制御や、それらの結果を表示部１０６に表示するための制御を行う。
【００２８】
マイクロコンピュータ１０１は、ＣＰＵ（中央演算処理装置）、ＲＯＭおよびＲＡＭを備えており、ＣＰＵがＲＯＭに格納された各種制御プログラムを読み込み、該制御プログラムに従って前述の各種制御を実行する。
【００２９】
時計部１０３は時刻を取得するために使われる。マイクロコンピュータ１０１からの要求に応じて時刻情報を送る。操作部１０４は例えば押下するボタン型や回転可能であるダイヤル型などがあるが、特にこれらに限定されるものではない。そして、スケジュール登録やスケジュール確認や位置情報表示要求などユーザが指示する情報をマイクロコンピュータ１０１に送る。
【００３０】
表示部１０６は、画像表示手段としての機能を持ち、例えば、モノクロまたはカラー表示可能な液晶ディスプレイなどであるが、特に液晶ディスプレイに限定されるものではない。
【００３１】
発音部１０７は各種音を再生する手段としての機能を持ち、例えば、アンプや小型スピーカ等により構成される。また、上記スピーカ以外に出力端子を設け、外部のアンプやスピーカと接続し、外部の機器から音声を出力するようにしても良い。
【００３２】
最新位置情報格納部１０８には、最後に、携帯端末１００が位置情報提供端末２００から取得した位置情報が、取得時刻とともに記憶される。そのため位置情報格納部１０８は、マイクロコンピュータ１０１と接続され、マイクロコンピュータ１０１の処理に応じてデータの入出力がなされる。例えば、半導体メモリやハードディスクなどから構成されており、位置情報提供端末２００から位置情報を取得する毎に最新位置情報格納部１０８に格納されている位置情報が更新される。
【００３３】
位置情報提供端末２００は、携帯端末１００の非接触ＩＣカードリーダ部１０５との間で位置情報を送受信する非接触ＩＣカードライト部２０１と、各種制御を行うマイクロコンピュータ２０２と、位置情報提供端末２００の位置情報を保存する位置情報格納部２０３と、マイクロコンピュータ２０２に各種命令を入力及び位置情報を入力する入力部２０４により構成される。
【００３４】
非接触ＩＣカードライト部２０１は、非接触ＩＣカード技術を用いて携帯端末１００の非接触ＩＣカードリーダ部１０５との間で位置情報を送受信するために、マイクロコンピュータ２０２と接続されており、マイクロコンピュータ２０２の処理に応じてデータの入出力がなされる。
【００３５】
位置情報格納部２０３には、位置情報提供端末２００の位置を示す情報（例えば駅名、会社名等を示す情報）が位置情報として記憶されている。位置情報格納部２０３はマイクロコンピュータ２０２と接続されており、マイクロコンピュータ２０２の処理に応じてデータの入出力がなされる。例えば、半導体メモリやハードディスクなどから構成され、データの記憶手段としての機能を持つ。
【００３６】
マイクロコンピュータ２０２には、前述の非接触ＩＣカードライト部２０１と位置情報格納部２０３と入力部２０４とが接続されており、前述した各種データの入出力制御の他に、入力部２０４からの入力情報による制御を行う。マイクロコンピュータ２０２も、ＣＰＵ（中央演算処理装置）、ＲＯＭおよびＲＡＭを備えており、ＣＰＵがＲＯＭに格納された各種制御プログラムを読み込み、該制御プログラムに従って前述の各種制御を実行する。
【００３７】
図１において、利用者が携帯端末１００を位置情報提供端末２００に近づけると位置情報提供端末２００はマイクロコンピュータ２０２の処理に応じて位置情報格納部２０３から位置情報を読み出し非接触ＩＣカードライト部２０１へその位置情報を送る。非接触ＩＣカードライト部２０１は非接触ＩＣカード技術によりその位置情報を携帯端末１００の非接触ＩＣカードリーダ部１０５へ送る。マイクロコンピュータ１０１は、非接触ＩＣカードリーダ部１０５で受信した位置情報提供端末２００の位置情報を、取得時刻とともに最新位置情報格納部１０８へ格納する。
【００３８】
図２は、携帯端末が備えているスケジュール格納部１０２および最新位置情報格納部１０８に格納される、スケジュールデータおよび最新位置情報の例を示しており、図３は、本実施形態におけるスケジュール管理動作を示すフローチャートである。以下、本実施形態の動作について、図１〜図３を参照して説明する。
【００３９】
スケジュール格納部１０２には、予めユーザにより設定された例えば図２（ａ）に示すようなスケジュールが格納されている。まず、携帯端末１００は、位置情報提供端末２００から新たに位置情報を取得したかを調べる（Ｓ１）。新たに位置情報が取得されたとき（Ｓ１，Ｙｅｓ）には、例えば図２（ｂ）に示すように、取得した位置情報と取得時刻を最新位置情報格納部１０８に格納することにより最新位置情報を更新する（Ｓ２）。
【００４０】
マイクロコンピュータ１０１はスケジュール格納部１０２からスケジュール情報を、また、時計部１０３から時刻情報を読み出し、比較することにより、何れかのスケジュールの予定時刻かを調べる（Ｓ３）。何れかのスケジュールの予定時刻ではない場合は（Ｓ１）に戻る。何れかのスケジュールの予定時刻である場合（Ｓ３，Ｙｅｓ）には、該当するスケジュールの位置情報と最新位置情報格納部１０８に格納されている位置情報が合致するかを調べる（Ｓ４）。
【００４１】
マイクロコンピュータ１０１は最新位置情報格納部１０８から位置情報を読み出し、スケジュール格納部１０２から予定時刻として読み出したスケジュールの位置情報と比較し、一致しない場合（Ｓ４，Ｎｏ）は、現在のスケジュールと合致しない旨を表示部１０６へ表示する、あるいは、発音部１０７から音を発する事により利用者へ通知する（Ｓ５）。通知は表示部１０６への表示と発音部１０７から音を発する事を同時に行ってもよい。
【００４２】
最新位置情報格納部１０８から読み出した位置情報と、スケジュール格納部１０２から予定時刻として読み出したスケジュールの位置情報が一致する場合（Ｓ４，Ｙｅｓ）には、スケジュール格納部１０２から予定時刻と最新位置情報格納部１０８に格納されている取得時刻を比較し（Ｓ６）、両者の時間差が所定値以内のとき（Ｓ７，Ｙｅｓ）は、処理を終了して（Ｓ１）に戻り、両者の時間差が所定値より大きいとき（Ｓ７，Ｎｏ）は、スケジュールが前倒しされている旨を表示部１０６へ表示する、あるいは、発音部１０７から音を発する事により利用者へ通知する（Ｓ８）。
【００４３】
例えば、最新位置情報格納部１０８に、図２（ｂ）に示す最新位置情報および取得時刻が格納されている場合に、予定時刻１０：００になった時点で、最新位置情報格納部１０８から読み出された位置情報と、スケジュール格納部１０２から読み出された予定時刻１０：００に対応する位置情報が比較されると、両者は一致しているので、次に、予定時刻１０：００と取得時刻９：５０が比較される。所定時間差が例えば２０分に設定されている場合には、取得時刻が９：４０から１０：００の範囲であれば、ほぼスケジュールどおりであると判定する。
【００４４】
また、予定時刻１１：００になった時点で、最新位置情報格納部１０８から読み出された位置情報が依然として、△△駅である場合には、最新位置情報格納部１０８から読み出された位置情報と、スケジュール格納部１０２から読み出された予定時刻１１：００に対応する位置情報（□□会社）は一致しないので、現在のスケジュールと合致しない旨が表示部１０６で表示される、あるいは、発音部１０７から音が発せられる。
【００４５】
本実施形態のスケジュール管理システムによれば、位置情報を取得する際に非接触型ＩＣカード技術を用いているので、ＧＰＳ信号が届かない場所でもスケジュール管理が可能である。また、一般にスケジュール作成の際、乗車駅、降車駅、会社等の位置はスケジュール管理のポイントとするケースが多く、一方、非接触型ＩＣカードリードライト端末は駅の改札あるいは会社等、既に多くの場所に設置されており、既存の非接触ＩＣカードライタ部を内蔵している機器に当該機器が設置されている位置情報（例えば駅名情報）を登録することによって、新たに設備を設置する必要がなく、比較的簡単に、スケジュール管理システムを構築することができる。
【００４６】
なお、上記実施形態では、最新位置情報格納部１０８に、最新位置情報とその取得時刻を格納したが、最新位置情報格納部１０８に最新位置情報のみを格納し、その取得時刻を省く構成とすることも可能である。その場合、図３に示すスケジュール管理動作フローチャートの（Ｓ６）〜（Ｓ８）も省略され、構成を簡素化することができる。また、本構成において、スケジュール格納部１０２と位置情報格納部１０８は同じ半導体メモリやハードディスクなどから構成してもよい。
【００４７】
図４は、本発明の第２の実施形態を示すスケジュール管理システムの概略ブロック図である。
【００４８】
本実施形態は、第１の実施形態にタイマー部１０９を追加し、このタイマー部１０９により設定された間隔でマイクロコンピュータ１０１に割り込みを上げる。この割り込みによりスケジュール管理動作を所定周期で繰り返し行うようにしている。また、本実施形態のスケジュール格納部１０２には、スケジュールの予定時間帯が格納されている。その他の構成は、基本的には第１の実施形態と同様である。
【００４９】
図５は、本実施形態の携帯端末が備えているスケジュール格納部１０２および最新位置情報格納部１０８に格納される、スケジュールデータおよび最新位置情報の例を示している。また、図６は、本実施形態における最新位置情報取得動作を示すフローチャートであり、図７は、本実施形態におけるスケジュール管理動作を示すフローチャートである。以下、本実施形態の動作について、図４〜図７を参照して説明する。
【００５０】
スケジュール格納部１０２には、予めユーザにより設定された例えば図5（ａ）に示すようなスケジュールが格納されている。まず、携帯端末１００は、位置情報提供端末２００から新たに位置情報を取得したかを調べる（Ｓ１１）。新たに位置情報が取得されたとき（Ｓ１１，Ｙｅｓ）には、例えば図５（ｂ）に示すように、取得した位置情報を最新位置情報格納部１０８に格納することにより最新位置情報を更新する（Ｓ１２）。
【００５１】
図７に示す処理はタイマー部１０９により設定された間隔で、マイクロコンピュータ１０１に割り込むことにより所定周期で繰り返し行われる。まず、携帯端末１００のマイクロコンピュータ１０１は、スケジュール格納部１０２からスケジュール情報を、また、時計部１０３から時刻情報を読み出し、比較することにより、現時刻が何れかのスケジュールの予定時間帯かを調べる（Ｓ２１）。
【００５２】
何れかのスケジュールの時間帯ではない場合（Ｓ２１，Ｎｏ）は処理を終了する。何れかのスケジュールの時間帯である場合（Ｓ２１，Ｙｅｓ）には、マイクロコンピュータ１０１は位置情報格納部１０８から位置情報を読み出し、Ｓ２１にて読み出したスケジュールの位置と比較し、合致するか判断する（Ｓ２２）。
【００５３】
合致する場合（Ｓ２２，Ｙｅｓ）は処理を終了する。合致しない場合（Ｓ２２，Ｎｏ）には、現在のスケジュールと合致しない旨を表示部１０６へ表示、または、発音部１０７から音を発する事により利用者へ通知する（Ｓ２３）。通知は表示部１０６への表示と発音部１０７から音を発する事を同時に行ってもよい。
【００５４】
なお、本実施形態では、図７に示す処理を、タイマー部１０９により設定された間隔で、マイクロコンピュータ１０１に割り込むことにより所定周期で繰り返し行うようにしたが、タイマー部１０９を設けずに、時計部１０３から取得される時刻情報を用いて、図７に示す処理を所定周期で繰り返し行うこともできる。
【図面の簡単な説明】
【００５５】
【図１】本発明の第１実施形態を示すスケジュール管理システムの概略ブロック図である。
【図２】本実施形態の携帯端末が備えているスケジュール格納部および最新位置情報格納部に格納される、スケジュールデータおよび最新位置情報の例を示す図である。
【図３】本実施形態におけるスケジュール管理動作を示すフローチャートである。
【図４】本発明の第２実施形態を示すスケジュール管理システムの概略ブロック図である。
【図５】本実施形態の携帯端末が備えているスケジュール格納部および最新位置情報格納部に格納される、スケジュールデータおよび最新位置情報の例を示す図である。
【図６】本実施形態における最新位置情報格納部への取得位置情報格納動作を示すフローチャートである。
【図７】本実施形態におけるスケジュール管理動作を示すフローチャートである。
【図８】本発明に関連するシステムの全体構成を示す模式図である。
【図９】本発明に関連する携帯端末の主要な構成を示すブロック図である。
【図１０】本発明に関連する別の位置情報取得システムの全体構成を示す模式図である。
【符号の説明】
【００５６】
１００  携帯端末
１０１，２０２  マイクロコンピュータ
１０２  スケジュール格納部
１０３  時計部
１０４  操作部
１０５  非接触ＩＣカードリーダ部
１０６  表示部
１０７  発音部
１０８  最新位置情報格納部
１０９  タイマー部
２００  位置情報提供端末
２０１  非接触ＩＣカードライタ部
２０３  位置情報格納部
２０４  入力部
【図１】
2009193166.tif 000003
【図２】
2009193166.tif 000004
【図３】
2009193166.tif 000005
【図４】
2009193166.tif 000006
【図５】
2009193166.tif 000007
【図６】
2009193166.tif 000008
【図７】
2009193166.tif 000009
【図８】
2009193166.tif 000010
【図９】
2009193166.tif 000011
【図１０】
2009193166.tif 000012